(57)【要約】【課題】デジタル画像蓄積装置において、簡単な操作でデジタル画像データをネットワーク上で公開できるようにする。【解決手段】第一の記憶手段１のデジタル画像データを第二の記憶手段２に記録する画像入出力手段５と、第二の記憶手段２のデジタル画像データを表示装置に適した信号に変換して出力する映像出力手段６と、ＨＴＭＬデータの雛型を持つＨＴＭＬ雛型記憶手段３と、選択されたデジタル画像データとＨＴＭＬ雛型記憶手段３とからＨＴＭＬデータを作成するＨＴＭＬデータ作成手段７と、ネットワークを介した通信を行う通信手段１２と、選択されたデジタル画像データおよびＨＴＭＬデータ送信先を規定するデータを保存する送信先記憶手段１１と、選択されたデジタル画像データと作成されたＨＴＭＬデータを送信先記憶手段１１中の送信先へ送信するＨＴＭＬ送信手段１７とを有する構成とする。【選択図】　図１
2004120166.tif 000002
【特許請求の範囲】
【請求項１】
着脱可能に設けられ、撮像装置により記録されたデジタル画像データを記憶する第一の記憶手段と、
デジタル画像データを記録する第二の記憶手段と、
前記第一の記憶手段からデジタル画像データを読み出しこれを前記第二の記憶手段に記録する画像入出力手段と、
前記第二の記憶手段から読み出したデジタル画像データを表示装置に適した信号に変換して出力する映像出力手段と、
利用者が各種操作を指示する入力手段と、
ＨＴＭＬ（Ｈｙｐｅｒ　Ｔｅｘｔ　Ｍａｒｋｕｐ　Ｌａｎｇｕａｇｅ）データの雛型を持つＨＴＭＬ雛型記憶手段と、
前記入力手段を介して選択されたデジタル画像データと前記ＨＴＭＬ雛型記憶手段とからＨＴＭＬデータを作成するＨＴＭＬデータ作成手段と、
ネットワークを介して外部と通信を実行する通信手段と、
選択された前記デジタル画像データおよびＨＴＭＬデータ送信先を規定するデータを保存する送信先記憶手段と、
前記入力手段を介して選択されたデジタル画像データと前記ＨＴＭＬデータ作成手段により作成されたＨＴＭＬデータを前記通信手段を介して前記送信先記憶手段中の送信先へ送信するＨＴＭＬ送信手段と、
各種データのやり取りをする制御手段とを有することを特徴とするデジタル画像蓄積装置。
【請求項２】
電子メールの雛型を持つ電子メール雛型記憶手段と、
前記電子メール雛型記憶手段と前記送信先記憶手段から前記制御手段を介して取得される送信先を規定するデータとから前記デジタル画像データおよび前記ＨＴＭＬデータを送信した旨の電子メールを作成する電子メール作成手段と、
電子メールの送信先アドレスを持つ電子メールアドレス記憶手段と、
前記電子メールを前記通信手段を介して前記電子メールアドレス記憶手段中のメールアドレスに送信する電子メール送信手段とを有することを特徴とする請求項１記載のデジタル画像蓄積装置。
【請求項３】
前記入力手段はテキストデータを入力し、前記第二の記憶手段に前記テキストデータを記憶させ、前記テキストデータは画像を表示装置に表示する際に画像の説明となるように配置され、前記ＨＴＭＬデータ作成手段は前記デジタル画像データおよび前記入力されたテキストデータおよび前記ＨＴＭＬ雛型記憶手段から取得されたＨＴＭＬ雛型とからＨＴＭＬデータを作成することを特徴とする請求項１または２記載のデジタル画像蓄積装置。
【請求項４】
アナログ音声信号を入力する音声入力手段と、
前記音声入力手段から入力された音声信号をデジタル音声信号に変換して前記第二の記憶装置に記憶し、音声を再生する際は前記第二の記憶装置に記憶されたデジタル音声信号をアナログ信号に変換する音声変換手段と、
前記音声変換手段によりアナログ信号に変換された音声信号を出力する音声出力装置とを有し、
前記ＨＴＭＬデータ作成手段はさらにデジタル音声データをリンクし、前記ＨＴＭＬ送信手段はさらにデジタル音声データを送信することを特徴とする請求項１〜３の何れか一項に記載のデジタル画像蓄積装置。
【請求項５】
前記デジタル画像データを送信する際に所定の画像サイズに縮小する画像縮小手段を有し縮小画像データを送信することを特徴とする請求項１〜４の何れか一項に記載のデジタル画像蓄積装置。
【請求項６】
前記送信手段は、前記縮小画像手段により縮小された画像および前記第一の記憶手段から取得された画像の何れも送信することを特徴とする請求項５記載のデジタル画像蓄積装置。
【請求項７】
前記通信手段を介して、サーバ上の画像およびそれに付随するテキストデータおよび音声データを取得する受信手段と、
前記受信手段が受信したＨＴＭＬデータを解析し、ＨＴＭＬデータで規定された表示方法で映像出力手段に出力するＨＴＭＬ閲覧手段とを有することを特徴とする請求項１〜６の何れか一項に記載のデジタル画像蓄積装置。
【請求項８】
前記受信手段は、受信したデータを前記第二の記憶手段に記憶することを特徴とする請求項７記載のデジタル画像蓄積装置。
【請求項９】
パスワードを記憶するパスワード記憶手段と、
前記パスワードを管理するパスワード管理手段とを有することを特徴とする請求項１〜８の何れか一項に記載のデジタル画像蓄積装置。
【発明の詳細な説明】
【０００１】
【発明の属する技術分野】
本発明はデジタル画像情報を記録保管し、利用者の指示によりデジタル画像情報をインターネット上のサーバに送信するデジタル画像蓄積装置に関するものである。
【０００２】
【従来の技術】
近年、ＳＤメモリカードやコンパクトフラッシュカードなどの半導体メモリカードにデジタル静止画像を数十枚程度撮像してこれを記録するデジタルカメラが商品化されている。そして、デジタルカメラにより半導体メモリカードに記録されたデジタル画像はパーソナルコンピュータにより管理されることが一般的であるが、より利便性を追求するために、例えば特開平１１−２１５４５３号公報に記載されているようなデジタル画像蓄積装置が商品化されるようになった。
【０００３】
一方で、インターネットは爆発的に普及してきており、デジタルカメラで撮影したデジタル画像を、インターネットを利用して遠方の他者に対して公開する機会が増大している。
【０００４】
しかし、特許文献１に記載されているような技術では、インターネットを利用して公開を行うための配慮はされていないために、依然としてパーソナルコンピュータに代表される汎用情報機器が使用されるのが一般的である。
【０００５】
【特許文献１】
特開平１１−２１５４５３号公報
【０００６】
【発明が解決しようとする課題】
しかしながら、前述のパーソナルコンピュータを利用した方法では、画像データを取り扱うために、パーソナルコンピュータおよび画像管理プログラムの習熟が必要である。さらに、画像の公開を行うためには、閲覧用の記述言語（Ｈｙｐｅｒ　Ｔｅｘｔ　Ｍａｒｋｕｐ　Ｌａｎｇｕａｇｅ、以下「ＨＴＭＬ」という。）を利用した閲覧用データの作成が必要となり、これにはＨＴＭＬの習熟が必要となり、初心者にとっては負担となる。のみならず、一度に送信するデジタル画像の数が増大するとＨＴＭＬデータの編集量が増大するので、熟練者にとっても容易な作業ではない。
【０００７】
そこで、本発明は、簡単な操作で、デジタル画像データをネットワーク上で公開することのできるデジタル画像蓄積装置を提供することを目的とする。
【０００８】
【課題を解決するための手段】
この課題を解決するために、本発明のデジタル画像蓄積装置は、着脱可能に設けられ、撮像装置により記録されたデジタル画像データを記憶する第一の記憶手段と、デジタル画像データを記録する第二の記憶手段と、第一の記憶手段からデジタル画像データを読み出しこれを第二の記憶手段に記録する画像入出力手段と、第二の記憶手段から読み出したデジタル画像データを表示装置に適した信号に変換して出力する映像出力手段と、利用者が各種操作を指示する入力手段と、ＨＴＭＬ（Ｈｙｐｅｒ　Ｔｅｘｔ　Ｍａｒｋｕｐ　Ｌａｎｇｕａｇｅ）データの雛型を持つＨＴＭＬ雛型記憶手段と、入力手段を介して選択されたデジタル画像データとＨＴＭＬ雛型記憶手段とからＨＴＭＬデータを作成するＨＴＭＬデータ作成手段と、ネットワークを介して外部と通信を実行する通信手段と、選択されたデジタル画像データおよびＨＴＭＬデータ送信先を規定するデータを保存する送信先記憶手段、入力手段を介して選択されたデジタル画像データとＨＴＭＬデータ作成手段により作成されたＨＴＭＬデータを通信手段を介して送信先記憶手段中の送信先へ送信するＨＴＭＬ送信手段と、各種データのやり取りをする制御手段とを有する構成としたものである。
【０００９】
これにより、簡単な操作で、デジタル画像データをネットワーク上で公開することができる。
【００１０】
【発明の実施の形態】
本発明の請求項１に記載の発明は、着脱可能に設けられ、撮像装置により記録されたデジタル画像データを記憶する第一の記憶手段と、デジタル画像データを記録する第二の記憶手段と、第一の記憶手段からデジタル画像データを読み出しこれを第二の記憶手段に記録する画像入出力手段と、第二の記憶手段から読み出したデジタル画像データを表示装置に適した信号に変換して出力する映像出力手段と、利用者が各種操作を指示する入力手段と、ＨＴＭＬ（Ｈｙｐｅｒ　Ｔｅｘｔ　Ｍａｒｋｕｐ　Ｌａｎｇｕａｇｅ）データの雛型を持つＨＴＭＬ雛型記憶手段と、入力手段を介して選択されたデジタル画像データとＨＴＭＬ雛型記憶手段とからＨＴＭＬデータを作成するＨＴＭＬデータ作成手段と、ネットワークを介して外部と通信を実行する通信手段と、選択されたデジタル画像データおよびＨＴＭＬデータ送信先を規定するデータを保存する送信先記憶手段と、入力手段を介して選択されたデジタル画像データとＨＴＭＬデータ作成手段により作成されたＨＴＭＬデータを通信手段を介して送信先記憶手段中の送信先へ送信するＨＴＭＬ送信手段と、各種データのやり取りをする制御手段とを有するデジタル画像蓄積装置であり、簡単な操作で、デジタル画像データをネットワーク上で公開することができるという作用を有する。
【００１１】
本発明の請求項２に記載の発明は、請求項１記載の発明において、電子メールの雛型を持つ電子メール雛型記憶手段と、電子メール雛型記憶手段と送信先記憶手段から制御手段を介して取得される送信先を規定するデータとからデジタル画像データおよびＨＴＭＬデータを送信した旨の電子メールを作成する電子メール作成手段と、電子メールの送信先アドレスを持つ電子メールアドレス記憶手段と、電子メールを通信手段を介して電子メールアドレス記憶手段中のメールアドレスに送信する電子メール送信手段とを有するデジタル画像蓄積装置であり、特別な操作を必要とせずに、関係者に画像を公開したことを通知することができるという作用を有する。
【００１２】
請求項３に記載の発明は、請求項１または２記載の発明において、入力手段はテキストデータを入力し、第二の記憶手段にテキストデータを記憶させ、テキストデータは画像を表示装置に表示する際に画像の説明となるように配置され、ＨＴＭＬデータ作成手段はデジタル画像データおよび入力されたテキストデータおよびＨＴＭＬ雛型記憶手段から取得されたＨＴＭＬ雛型とからＨＴＭＬデータを作成するデジタル画像蓄積装置であり、画像の内容を素早く理解できるという作用を有する。
【００１３】
請求項４に記載の発明は、請求項１〜３の何れか一項に記載の発明において、アナログ音声信号を入力する音声入力手段と、音声入力手段から入力された音声信号をデジタル音声信号に変換して第二の記憶装置に記憶し、音声を再生する際は第二の記憶装置に記憶されたデジタル音声信号をアナログ信号に変換する音声変換手段と、音声変換手段によりアナログ信号に変換された音声信号を出力する音声出力装置とを有し、ＨＴＭＬデータ作成手段はさらにデジタル音声データをリンクし、ＨＴＭＬ送信手段はさらにデジタル音声データを送信するデジタル画像蓄積装置であり、より多くの情報を得ることができるという作用を有する。
【００１４】
請求項５に記載の発明は、請求項１〜４の何れか一項に記載の発明において、デジタル画像データを送信する際に所定の画像サイズに縮小する画像縮小手段を有し縮小画像データを送信するデジタル画像蓄積装置であり、画像の送信あるいは閲覧を含んだ受信において通信時間を短縮でき、通信に要するコストを削減できるという作用を有する。
【００１５】
請求項６に記載の発明は、請求項５記載の発明において、送信手段は、縮小画像手段により縮小された画像および第一の記憶手段から取得された画像の何れも送信するデジタル画像蓄積装置であり、画像の受信者が自己の通信環境に応じた精度の画像を選択できるという作用を有する。
【００１６】
請求項７に記載の発明は、請求項１〜６の何れか一項に記載の記載の発明において、通信手段を介して、サーバ上の画像およびそれに付随するテキストデータおよび音声データを取得する受信手段と、受信手段が受信したＨＴＭＬデータを解析し、ＨＴＭＬデータで規定された表示方法で映像出力手段に出力するＨＴＭＬ閲覧手段とを有するデジタル画像蓄積装置であり、ネットワーク上で公開されているＷｅｂページを見ることができるという作用を有する。
【００１７】
請求項８に記載の発明は、請求項７記載の発明において、受信手段は、受信したデータを第二の記憶手段に記憶するデジタル画像蓄積装置であり、ネットワーク上の画像をデジタルカメラで撮像した画像と同様に取り扱うことでき、より広範にわたる画像を楽しむことができるという作用を有する。
【００１８】
請求項９に記載の発明は、請求項１〜８の何れか一項に記載の発明において、パスワードを記憶するパスワード記憶手段と、パスワードを管理するパスワード管理手段とを有するデジタル画像蓄積装置であり、特別な機器を必要とせずにアクセス制限を実行でき、セキュリティ強度を上げることができるという作用を有する。
【００１９】
以下、本発明の実施の形態について、図１から図５を用いて説明する。なお、これらの図面において同一の部材には同一の符号を付しており、また、重複した説明は省略されている。
【００２０】
図１は本発明の一実施の形態であるデジタル画像蓄積装置の構成を機能面から示すブロック図、図２は本発明の一実施の形態であるデジタル画像蓄積装置の構成をハードウェアの面から示すブロック図、図３は本発明の一実施の形態のデジタル画像蓄積装置において、音声およびテキストが付加されたデジタル画像の表示例を示す説明図、図４は本発明の一実施の形態におけるデジタル画像蓄積装置での送信処理動作を示すフローチャート、図５は本発明の一実施の形態におけるデジタル画像蓄積装置での受信処理動作を示すフローチャートである。
【００２１】
図１に示すように、本実施の形態のデジタル画像蓄積装置は、着脱可能に設けられてデジタルスチルカメラ等の撮像装置により記録されたデジタル画像データを記憶する第一の記憶装置（第一の記憶手段）１、デジタル画像データやそれに付随する音声データおよびテキストデータを蓄積する第二の記憶装置（第二記憶手段）２、インターネット上のサーバに送るＨＴＭＬデータを作成する際に参照される雛型データを記憶するＨＴＭＬ雛型記憶手段３、インターネット（ネットワーク）上に設置されたサーバにデジタル画像データを送信した旨を知らせる電子メールを作成する際に参照する雛型を記憶する電子メール雛型記憶手段４、第一の記憶装置１あるいは第二の記憶装置２からデジタル画像データを読み取ったり第一の記憶装置１あるいは第二の記憶装置２へデジタル画像データを記録する画像入出力手段５、第一の記憶装置１あるいは第二の記憶装置２から読み取ったデジタル画像データを外部接続されたテレビジョン受像機などの表示装置に適した信号に変換して出力する映像出力手段６、ＨＴＭＬ雛型記憶手段３から読み出したＨＴＭＬ雛型データを元にしてインターネット上のサーバを経由してパーソナルコンピュータなどのインターネットブラウザで閲覧可能なＨＴＭＬデータを作成するＨＴＭＬデータ作成手段７、利用者が各種操作を支持する入力手段８、電子メール雛型記憶手段４から読み取った電子メールの雛型を元にしてデジタル画像データをインターネット上のサーバに送信した旨を知らせるための電子メールを作成する電子メール作成手段９、インターネット上のサーバに画像情報を送信する前に通信コストを抑え閲覧に支障のないサイズに縮小する画像縮小手段１０、画像データおよびＨＴＭＬデータおよびそれに付随するデータの送信先であるサーバを特定するデータを記憶する送信先記憶手段１１、インターネットなどの外部ネットワークと通信を実行する通信手段１２、電子メール作成手段９が作成した電子メールを送信する相手を特定するデータを記憶する電子メール送信先記憶手段１３、デジタル画像データを説明するためのアナログ音声信号を入力する音声入力手段１４、デジタル画像データに付随した音声データをアナログ音声データとして出力する音声出力手段１５、アクセス制限を行うためのパスワードを記憶するパスワード記憶手段１６、通信手段１２を介してＨＴＭＬデータ作成手段７が作成したＨＴＭＬデータおよびデジタル画像データおよびそれに付随するデータを送信先記憶手段１１に記憶されたサーバへ送信するＨＴＭＬ送信手段１７、通信手段１２を介してインターネット上のサーバにある画像データを受信して第二の記憶手段２に記録する受信手段１８、通信手段１２を介して電子メール作成手段９が作成した電子メールを電子メール送信先記憶手段１３に記憶された相手へ送信する電子メール送信先記憶手段１９、音声入力手段１４から入力されたアナログ音声データをデジタル音声データに変換し第二の記憶手段２に記録したり第二の記憶手段２から読み取ったデジタル音声データをアナログ音声データに変換して音声出力手段１５に出力する音声変換手段２０、パスワード記憶手段１６に記憶されたパスワードを参照してアクセス制限を実行するパスワード管理手段２１、各種データのやり取りをする制御手段２２、および取得したＨＴＭＬデータを解析してＨＴＭＬで規定された表示を作成するＨＴＭＬ閲覧手段２３を有している。
【００２２】
なお、表示装置はデジタル画像蓄積装置内に内蔵されていてもよいし、いなくてもよい。
【００２３】
図２は、本発明の一実施の形態である通信機能をもったデジタル画像蓄積装置のハードウェア回路を示すブロック図であり、ハードウェアによる構成を示したものである。
【００２４】
図２に示すように、デジタル画像蓄積装置は、プログラムを実行する中央処理装置（以下、「ＣＰＵ」という。）３１、データを一時的に記録するランダム・アクセス・メモリ（以下、「ＲＡＭ」という。）３２、プログラムや書き換えの不要なデータを格納するリード・オンリー・メモリ（以下、「ＲＯＭ」という。）３３、データを記録する磁気ディスクや光ディスクなどの２次記憶装置３４、キーボード、マウス、スタイラスペン、ボタンなどの入力装置３５、マイクロフォンなどの音声入力装置３６、テレビジョンなどの外部表示装置に画像を出力する画像出力装置３７、スピーカなどの音声出力装置３８、デジタルカメラなどの撮像装置に着脱可能で撮像装置により記録されたデジタル画像データを記録する半導体メモリ３９、半導体メモリ３９からデータを読み取る読取装置４０、内部データバス４１を備えている。
【００２５】
ここで、図１の機能手段と図２のハードウェアとの対応関係について説明する。
【００２６】
図１および図２に示すように、第一の記憶手段１は半導体メモリ４０により実現される。第二の記憶手段２、ＨＴＭＬ雛型記憶手段３、電子メール雛型記憶手段４、送信先記憶手段１１、電子メール送信先記憶手段１３、パスワード記憶手段２１はＲＡＭ３２または２次記憶装置３４により実現される。映像出力手段６は画像出力装置３７により、入力手段８は入力装置３５により、音声入力手段１４は音声入力装置３６により、音声出力手段１５は音声出力装置３８により実現される。画像入力手段５、ＨＴＭＬデータ作成手段７、電子メール作成手段、画像縮小手段、通信手段１２、ＨＴＭＬ送信手段１７、受信手段１８、電子メール送信手段１９、音声変換手段２０、パスワード管理手段２１、制御手段２２およびＨＴＭＬ閲覧手段２３は、ＣＰＵ３１が、ＲＡＭ３２、ＲＯＭ３３および２次記憶装置３４とデータのやり取りを行いながら、ＲＯＭ３３に記憶されている制御プログラムを実行することにより実現される。
【００２７】
次に、デジタルカメラで撮像済みのデジタル画像を半導体メモリ４０から本発明のデジタル画像蓄積装置内への蓄積、および外部接続された表示装置を利用したデジタル画像閲覧について説明する。
【００２８】
デジタルカメラで撮像済のデジタル画像データは第一の記憶手段１に記録されており、前述のように第一の記憶手段１は着脱可能となっている。利用者が入力手段８により保存を指示すると、画像入出力手段５が第一の記憶手段１からデジタル画像データを取り出し、第二の記憶手段２へ記録する。この第二の記憶手段２に記録されたデジタル画像データを鑑賞するためには、画像入出力手段５が第一の記憶手段１あるいは第二の記憶手段２からデジタル画像データを読み取り、映像出力手段６が表示装置（例えば、テレビジョン）に適した表示信号（テレビジョンの場合はＮＴＳＣ方式テレビジョン信号）に変換して出力し、表示装置に映像を映し出す。なお、表示する画像の選択は、表示装置に映し出された画像を閲覧しながら、入力手段８を用いて実行する。
【００２９】
画像に説明のテキストを付加する際には、テキストによる説明を付加するデジタル画像を選択した後、入力手段８を用いてテキストを入力する。
【００３０】
画像に説明の音声を付加する際には、音声による説明を付加するデジタル画像を選択した後、音声入力装置１５からの音声信号を音声変換手段２０によりデジタル音声信号に変換した後、第二の記憶手段２に記録する。
【００３１】
音声およびテキストによる説明が付加されたデジタル画像を映し出した場合の一例を図３に示す。図示するように、説明のためのテキストがデジタル画像の傍らに表示されている。また、デジタル画像の傍らに表示されているアイコンにより、説明のための音声が付加されていることが示されている。
【００３２】
このアイコンを入力手段８で指示することにより、第二の記憶手段２からデジタル音声データが取り出され、音声変換手段２０がデジタル音声データをアナログ音声データに変換し、音声出力手段１５に出力することにより、説明のための音声を再生することができる。
【００３３】
次に、画像等をインターネット上のサーバに送信あるいはサーバから受信する場合について説明する。
【００３４】
先ず、本実施の形態のデジタル画像蓄積装置において、画像等をインターネット上のサーバに送信する場合について、図４のフローチャートを用いて詳しく説明する。
【００３５】
図４において、まず、テレビジョンなどの表示装置に映し出された画像を参照して、インターネット上のサーバに送信する画像を選択する（ステップ１）。画像の選択には入力手段８を用いる。
【００３６】
画像の送信は、複数枚を同時に送信することができるので、画像の選択をサーバに送信する画像がなくなるまで続ける。
【００３７】
すなわち、送信する画像の選択が終了すると（ステップ２）、利用者は入力手段８を用いて送信の指示を行う（ステップ３）。送信の指示方法としては、例えば、画像蓄積装置の「送信」ボタンを押下する、など単純な操作とする。
【００３８】
次に、画像縮小手段１０が画像の縮小の有無を確認する（ステップ４）。そして、縮小画像があれば、画像入出力手段５が第一の記憶手段１あるいは第二の記憶手段２から読み取った画像について画像縮小手段１０が画像の縮小を実行し（ステップ５）、画像縮小手段５を介して第二の記憶手段に保存する（ステップ６）。このステップ５からステップ７の処理を、送信する全画像に対して完了するまで繰り返す。これは、最近のデジタルカメラで撮影された画像はファイルサイズが大きくなり、一度に複数の写真を送信すると送信のための通信時間あるいはサーバ上の画像を閲覧するための通信時間が膨大なものとなり、通信費用がかさむことを防止するためである。
【００３９】
次に、ＨＴＭＬデータ作成手段７がＨＴＭＬ雛型記憶手段３からサーバに送信するＨＴＭＬデータの雛型を取り出し、ＨＴＭＬデータ作成手段７がこの雛型を送信する画像、画像説明のためのテキストおよび画像説明のための音声のリンク情報を追加することにより、ＨＴＭＬデータを作成する（ステップ８）。ＨＴＭＬデータの作成が完了すると、ＨＴＭＬ送信手段１７が送信先記憶手段１１に記憶されている送信先を取り出し、通信手段１２が、例えばＦＴＰ（Ｆｉｌｅ　Ｔｒａｎｓｆｅｒ　Ｐｒｏｔｏｃｏｌ）のようなプロトコルを使って、画像データ、それに付随する音声データおよびステップ８で作成したＨＴＭＬデータをインターネット上のサーバに送信する（ステップ９）。
【００４０】
送信が完了したならば（ステップ１０）、次に、電子メール作成手段９が電子メール雛型記憶手段４から取り出した電子メールの雛型を元に電子メールを作成する（ステップ１１）。この電子メールは、インターネット上のサーバに画像を送信したこと、すなわちインターネット上のサーバにアクセスすることにより画像を閲覧することができる旨を、関係者に対して告知するためのものである。
【００４１】
電子メール作成が完了すると、電子メール送信手段１９が電子メール送信先記憶手段１３から関係者のメールアドレスを取り出し、そのアドレスに対して、通信手段１２を介して電子メールを送信し（ステップ１２）、処理を終了する。
【００４２】
次に、本実施の形態のデジタル画像蓄積装置において、画像等をインターネット上のサーバから受信する場合について、図５のフローチャートを用いて詳しく説明する。
【００４３】
図５において、受信手段１８が通信手段１２を介してインターネット上のサーバにあるＷｅｂページを取得し、ＨＴＭＬ閲覧手段がＨＴＭＬを解析し、その結果を映像出力手段６を介してテレビジョンなどの表示装置へ表示して、利用者に閲覧させる（ステップ２１）。そして、利用者は、Ｗｅｂページを閲覧中に入力手段８により保存を指示する（ステップ２２）。
【００４４】
次に、ダウンロードが必要であれば（ステップ２３）、受信手段１８が通信手段１２を介して、画像およびそれに付随する情報をサーバから取得する（ステップ２４）。なお、ステップ２３においてダウンロードが不要な場合は、ステップ２５に進む。
【００４５】
ダウンロードしたデータは第二の記憶手段２に保存されて（ステップ２５）、処理を終了する。
【００４６】
【発明の効果】
以上のように本発明によれば、簡単な操作で、デジタル画像データをネットワーク上で公開することができるという有効な効果が得られる。
【図面の簡単な説明】
【図１】本発明の一実施の形態であるデジタル画像蓄積装置の構成を機能面から示すブロック図
【図２】本発明の一実施の形態であるデジタル画像蓄積装置の構成をハードウェアの面から示すブロック図
【図３】本発明の一実施の形態のデジタル画像蓄積装置において、音声およびテキストが付加されたデジタル画像の表示例を示す説明図
【図４】本発明の一実施の形態におけるデジタル画像蓄積装置での送信処理動作を示すフローチャート
【図５】本発明の一実施の形態におけるデジタル画像蓄積装置での受信処理動作を示すフローチャート
【符号の説明】
１　第一の記憶手段
２　第二の記憶手段
３　ＨＴＭＬ雛型記憶手段
４　電子メール雛型記憶手段
５　画像入出力手段
６　映像出力手段
７　ＨＴＭＬデータ作成手段
８　入力手段
９　電子メール作成手段
１０　画像縮小手段
１１　送信先記憶手段
１２　通信手段
１３　電子メール送信先記憶手段
１４　音声入力手段
１５　音声出力手段
１６　パスワード記憶手段
１７　ＨＴＭＬ送信手段
１８　受信手段
１９　電子メール送信手段
２０　音声変換手段
２１　パスワード管理手段
３１　ＣＰＵ
３２　ＲＡＭ
３３　ＲＯＭ
３４　２次記憶装置
３５　入力装置
３６　音声入力装置
３７　画像出力装置
３８　音声出力装置
３９　読取装置
４０　半導体メモリ
４１　データバス
【図１】
2004120166.tif 000003
【図２】
2004120166.tif 000004
【図３】
2004120166.tif 000005
【図４】
2004120166.tif 000006
【図５】
2004120166.tif 000007